(57)【要約】      （修正有）【課題】自然の流出領域などからの水の流出を制御するモジュールおよびアセンブリを提供する。【解決手段】排水タンクまたは排水路モジュール１０は、上プラテン２０および下プラテン２２を有する構造と、上プラテン２０を支持するための概して垂直方向の複数の支持部材２６とを備え、これら支持部材２６は、下プラテン２２および上プラテン２６の一方の上のソケット内に保持され、モジュール１０からの排水の流れを制御しかつモジュール１０への堆積物の進入を抑制することが可能な不透水性膜または透水性ジオテキスタイル材料を支持するようにされた透水性の格子部材２４を各々備える随意の側壁を備える。さらに、これらモジュール１０をアセンブリに組み立てる。【選択図】図３Ａ
2007211585.tif 000002
【特許請求の範囲】
【請求項１】
排水タンクまたは排水路モジュール（１０）であって、上プラテン（２０）および下プラテン（２２）を有する構造と、少なくとも上プラテン（２０）を支持するための概して垂直方向の複数の支持部材（２６）とを備え、これら支持部材は下プラテン（２２）および上プラテン（２０）の少なくとも一方の上のソケット（２８）内に保持され、少なくともモジュール（１０）からの排水の流れを制御しかつモジュール（１０）への堆積物の進入を抑制することが可能な不透水性膜（３２）または透水性ジオテキスタイル材料（３０）を支持するようにされる透水性の格子部材（２４）を各々備える随意の側壁（１９）をさらに備える、モジュール。
【請求項２】
支持部材（２６）が管状部材（２６）である、請求項１に記載のモジュール。
【請求項３】
格子部材（２４）がワイヤーメッシュの格子部材（２４）である、請求項１に記載のモジュール。
【請求項４】
格子部材（２４）が合成ポリマーの格子部材（２４）である、請求項１に記載のモジュール。
【請求項５】
合成ポリマーの格子部材（２４）が射出成型される、請求項４に記載のモジュール。
【請求項６】
少なくとも１つの格子部材（２４）の少なくとも一部を覆うジオテキスタイル材料（３０）をさらに備える、請求項１に記載のモジュール。
【請求項７】
少なくとも１つの壁（１９）の少なくとも一部を覆う不透水性膜（３２）をさらに備え、この不透水性膜がない場合よりもモジュール（１０）内に長く水が保持される、請求項１に記載のモジュール。
【請求項８】
モジュール（１０）は６面形状であり、各面（１２，１４，１６，１８，２０，２２）が四辺形を有する、請求項１に記載のモジュール。
【請求項９】
排水タンクまたは排水路を作るためのモジュール（１０，１０’，１０”，１０ａ，１０ｂ，１０ｃ，１０ｄ）からなるアセンブリであって、各モジュール（１０，１０’，１０”，１０ａ，１０ｂ，１０ｃ，１０ｄ）は、上プラテン（２０）および下プラテン（２２）を有する構造と、上プラテン（２０）を支持するための概して垂直方向の複数の支持部材（２６）とを備え、これらの支持部材（２６）が下プラテン（２２）および上プラテン（２０）の少なくとも一方の上のソケット（２８）内に保持され、アセンブリの外周側壁（１２，１２ｂ，１４，１６，１８，１８ａ，１８ｃ，１９）を形成するために必要な側壁（１９）をさらに備え、各モジュール（１０，１０’，１０”，１０ａ，１０ｂ，１０ｃ，１０ｄ）の側壁は、排水タンクまたは排水路を作るために、少なくともアセンブリからの排水の流れを制御しかつアセンブリへの堆積物の進入を抑制することが可能な不透水性膜（３２）または透水性ジオテキスタイル材料（３０）を支持するようにされた透水性の格子部材（２４）を備え、アセンブリ（１１）の少なくとも外周壁（１２，１２ｂ，１４，１６，１８，１８ａ，１８ｃ，１９）が少なくとも部分的にジオテキスタイル材料（３０）で覆われる、アセンブリ。
【請求項１０】
１つのモジュール（１０，１０’，１０”，１０ａ，１０ｂ，１０ｃ，１０ｄ）の前面（１２，１２ａ，１２ｄ）がもう１つのモジュール（１０，１０’，１０”，１０ａ，１０ｂ，１０ｄ）の背面（１４）に当接する、請求項９に記載のアセンブリ。
【請求項１１】
１つのモジュール（１０，１０’，１０”，１０ａ，１０ｂ，１０ｃ，１０ｄ）の側面（１６，１８）がもう１つのモジュール（１０，１０’，１０”，１０ａ，１０ｃ，１０ｄ）の側面（１８，１６）に当接する、請求項９に記載のアセンブリ。
【請求項１２】
１つのモジュール（１０）の側面（１６，１８）がもう１つのモジュール（１０）の前面（１２）および背面（１４）の一方に当接する、請求項９に記載のアセンブリ。
【請求項１３】
モジュール（１０）が垂直方向に積み重ねられる、請求項９に記載のアセンブリ。
【請求項１４】
隣接するモジュール（１０，１０’，１０”，１０ａ，１０ｂ，１０ｃ，１０ｄ）の内部当接部（１２，１４，１６，１８）が互いに当接し、モジュール（１０，１０’，１０”，１０ａ，１０ｂ，１０ｃ，１０ｄ）からなるアセンブリ（１１）により形成された水路内の水の流れを妨げないように側壁（１９）を有しない、請求項９に記載のアセンブリ。
【請求項１５】
少なくとも１つの外周側壁（１２，１２ｂ，１４，１６，１８，１８ａ，１８ｃ，１９）上の少なくとも１つの格子部材（２４）の少なくとも一部を覆うジオテキスタイル材料（３０）をさらに備える、請求項９に記載のアセンブリ。
【請求項１６】
少なくとも１つの外周側壁（１２，１２ｂ，１４，１６，１８，１８ａ，１８ｃ，１９）の少なくとも一部を覆う不透水性膜（３２）をさらに備え、この不透水性膜（３２）がない場合よりもアセンブリ（１１）内に長く水が保持される、請求項９に記載のアセンブリ。
【発明の詳細な説明】
【関連出願の相互参照】
【０００１】
本出願は、２００６年２月８日に出願された米国仮出願番号第６０/７７１，４１７号の米国特許法第１１９条（ｅ）に基づく利益を主張し、当該出願の開示のすべてがここに引用により組み込まれるものとする。
【技術分野】
【０００２】
本発明は、排水タンクモジュールまたは排水路モジュール、ならびにこれらモジュールからなるアセンブリであって、浸食された道または洪水に影響を受けやすい地域から水、典型的には雨水を一時的に保持しまたは進路を変え、かつ少なくとも同モジュールからの排水を制御するアセンブリに関する。
【０００３】
より詳細には、本発明は、製造が容易で、かつ少なくともモジュールから出る水の流れを制御するための排水タンクまたは排水路を作るためのアセンブリへの組み立てが容易なモジュールに関し、ならびにこれらモジュールから構成される複数のアセンブリに関する。
【発明の開示】
【発明が解決しようとする課題】
【０００４】
本発明は、自然の流出領域、ならびに建設現場およびそのままでは水の流出によって、氾濫領域および沈泥等の堆積に関する問題を生じ得る他の場所からの水の流出を制御する。また、このモジュール単独でまたはアセンブリとして組み合わせて、溝（トレンチ）内または他の方法で地下に配置した場合、モジュールまたはアセンブリへの堆積物の進入を抑制しかつこれらに接触する土壌の維持を制御する。
【０００５】
この発明の排水タンクまたは排水路モジュールは、製造が容易で、持ち運び可能で、かつ現場で組み立てが可能である。本モジュールは、モジュール単独でもアセンブリとして組み立てても用途が広く、効果的な排水路を構成する新規な支持構造を備える。本モジュールおよびアセンブリは、保水タンクもしくは貯水槽、または緩解放のタンク、貯水槽もしくは水路を構成し、流出水または雨水の制御された放出を可能にする。
【課題を解決するための手段】
【０００６】
本発明の一局面は、排水タンクまたは排水路モジュールであって、上プラテンおよび下プラテンを有する構造と、少なくとも上プラテンを支持するための概して垂直方向の複数の支持部材とを備え、これら支持部材は下プラテンおよび上プラテンの少なくとも一方の上のソケット内に保持され、少なくともモジュールから出る排水の流れを制御しかつモジュールへの堆積物の進入を抑制することができる不透水性膜または透水性ジオテキスタイル材料を支持するようにされた透水性の格子部材を各々が備える随意の側壁をさらに備えるモジュールに関する。
【０００７】
本発明の他の局面は、排水タンクまたは排水路を作るためのモジュールからなるアセンブリであって、各モジュールは、上プラテンおよび下プラテンを有する構造と、上プラテンを支持するための概して垂直方向の複数の支持部材とを備え、これらの支持部材が下プラテンおよび上プラテンの少なくとも一方の上のソケット内に保持され、アセンブリの外周側壁を形成するために必要な側壁をさらに備え、各モジュールの側壁は、排水タンクまたは排水路を作るために、少なくともアセンブリからの排水の流れを制御しかつアセンブリへの堆積物の進入を抑制することが可能な不透水性膜または透水性ジオテキスタイル材料を支持するようにされた透水性の格子部材を備え、アセンブリの少なくとも外周壁が少なくとも部分的にジオテキスタイル材料で覆われるアセンブリに関する。
【０００８】
上記の発明の概要および以下の発明の詳細な説明は、添付の図面と共に読めばよりよく理解されるであろう。発明を説明する目的で、現在の好ましい実施例を図面に示す。しかしながら、発明が、図示されたとおりの厳密な構成および手段に限定されないことが理解されるべきである。
【発明を実施するための最良の形態】
【０００９】
以下の記載における特定の用語は、便宜のためにのみ使用され、限定されない。「下」、「上」、「底部」、「上部」、「前」、「後」、「左」、「右」および「側」という語は、参照される図面における方向を指すが、モジュールまたはモジュールからなるアセンブリが使用され得る方向に関して限定されない。その用語は、特に上に述べられた語、これらの派生語、および類似の意味の語を含む。
【００１０】
ここで使用される冠詞「１つの」または単一の要素は、特に明確に単数または単一の要素に限定しない場合には、複数または１を超える数の要素を含む。
【００１１】
ここで使用される「堆積物」は、モジュールまたはモジュールからなるアセンブリを取り囲む砂、砂利、土、泥、または他の固体粒子を意味し、モジュールおよびアセンブリとともに使用されるジオテキスタイル材料がモジュールまたはアセンブリへの進入を抑制するものである。
【００１２】
図面を参照して、いくつかの図を通して同様の番号は同様の要素を示し、モジュール１０は、個別にまたは複数のモジュール１０のアセンブリ１１として組み立てられて示され、地面の適当な場所に埋設されるようになっている。本発明のモジュール１０は、左右、前後、上下に、もしくは他の任意の組み合わせ、またはこれらの他の配置で組み立てが可能である。図１Ａは、地面１５内の穴または溝１３内に配置されたモジュールアセンブリ１１に形成される複数のモジュール１０を示す。モジュール１０の詳細については以下に説明するが、モジュール１０、１０’および１０”から構成されるアセンブリ１１の例の詳細については、図１Ａおよび図４を参照して説明する。穴または溝１３は、アセンブリ１１を保持する適切な寸法の底と壁とを有する。典型的には、モジュール１０またはアセンブリ１１は、モジュール１０またはアセンブリ１１の外周側壁、上部および底部の周りを少なくとも部分的に、適切なジオテキスタイル材料で巻かれており、少なくともモジュールまたはアセンブリからの排水の流れを制御し、かつ堆積物のアセンブリへの進入を抑制することにより、排水タンクまたは排水路を構成する。随意には、保水もしくは貯水タンクまたは貯水槽を構成するために、モジュール１０またはアセンブリ１１の外周側壁、上部および底部の周りに少なくとも部分的に不透水性膜が巻かれる。その後、適切なタイプの堆積物を穴または溝１３の壁とモジュール１０またはアセンブリ１１の外周側壁および上部との間に埋め戻し、モジュールまたはアセンブリを埋設する。これにより、水の流出および排水を制御することができる。
【００１３】
図１Ｂから図３Ａを参照して、前面１２、背面１４、対向する第１および第２の側面１６および１８、ならびに上プラテン２０および下プラテン２２を含むモジュール１０の実施例が示される。側面は、格子構造またはメッシュ構造（これ以降、格子部材と呼ぶ）２４に作製された随意の壁を有してもよく、それは少なくとも１つのパネル１９を用いて形成されてもよい。図示のとおり、前面１２および背面１４の各々は、２つのパネル１９からなる壁を有し、側面１６および１８の各々は、１つのパネル１９からなる壁を有する。格子部材２４のパネル１９は透水性であり、約２０％から約８０％の開口面積を有し、好ましい実施例では、約５０％の開口面積を有する。上プラテン２０および下プラテン２２は異なる構造を有してもよく、または好ましくは、使用時に単純に反転されて上または下プラテンとなる同じ構造を有する。上下プラテンはまた、透水性であり、約２０％から約８０％の開口面積を有し、好ましい実施例では、約４５％の開口面積を有する。上述のとおり、および以下に詳細に説明するとおり、モジュール１０は、側壁なしに構成され、鉛直方向の壁すなわち格子部材２４またはパネル１９のない完全に開放された構造を形成してもよい。
【００１４】
格子部材２４は、限定されず、任意の所望の形状または材料であってもよく、ポリプロピレン、ポリプロピレンとポリエチレンとの組み合わせ、あるいはポリ塩化ビニル（ＰＶＣ）等の合成ポリマーもしくは繊維入りポリマー等であり、射出成形もしくは他の成形法、押出成形もしくは引抜成形または熱硬化等により格子に形成可能な他の材料のうち、亜鉛めっきされた鋼もしくは他の適切な材料の鎖リンクフェンスに用いられるタイプのワイヤメッシュ、または他の材料であってもよい。上下プラテン２０および２２は、好ましくは、同じ構造を有するが、限定されず、任意の所望の形状または材料であってもよく、ポリプロピレン、ポリプロピレンとポリエチレンとの組み合わせ、あるいはポリ塩化ビニル（ＰＶＣ）等の合成ポリマーもしくは繊維入りポリマー等であり、射出成形もしくは他の成形法、押出成形もしくは引抜成形または熱硬化等により格子に形成可能な他の材料のうち、亜鉛めっきされた鋼等の金属もしくは他の適切な金属等の金属、または他の適切な材料であってもよい。
【００１５】
好ましくは、上下プラテンは、格子部材のパネル１９の部分を収容する溝を形成する内周および外周端縁フランジを有する。例えば、図１Ｂおよび図３Ａに最も良く示されるように、下プラテン２２は、上方に延びる外周端縁フランジ２３および上方に延びる内周フランジ２５を有し、これらがパネル１９の下部端縁を保持するための溝２７を規定する。上プラテン２０には、パネル２４の上部端縁を保持するために、下方に延びる外周端縁フランジ２１および下方に延びる内周フランジ（図示せず）により規定される類似の溝（図示せず）が存在する。フランジ２１および２３は、このようにして前面１２、背面１４、および側面１６および１８に沿って配置されるパネル１９の部分に重なり、モジュールの構造上の統合性を強化するためにパネル１９を捕捉する。図１Ｂに最も良く示されるように、パネル１９は、好ましくは、隅部で互いにかつ上下プラテン２０および２２の溝２７内の構造と滑らかに当接する斜めの垂直端縁２９を有する。
【００１６】
上プラテン２０は、モジュールの大きさおよび形状に基づいて適切な数の支持部材２６により支持され、それらの支持部材は、好ましくは、円形等の適当な断面の管形状でかつ適切な寸法を有し、これらは次には下プラテン２２によって支持される。各モジュールが、図示のように長方形または正方形を含む各々四辺形のモジュール面１２、１４、１６および１８ならびに上下プラテン２０および２２を有する６面形状であって、いくつかの端縁支持部材２６およびいくつかの内部支持部材２６を備えることが好ましい。例えば、図１Ａ、図１Ｂ、図３Ａ、図３Ｂおよび図４に示される実施例は、８つの支持部材を有し、上プラテン上の負荷を均等に支持するために、各隅に１つずつあり、前面１２および背面１４のためのパネル１９が矩形である場合に前面および背面の中央に１つずつあり、モジュールの内部２９の中心に２つあり、その好ましい間隔は、図１Ｂに最も良く示される。上下プラテンの平面上の寸法が縮小される場合には、４つの支持部材２６のみが用いられてもよい。さらに、上下プラテンが六辺形または三角形に作製されるならば、上下プラテン当たり１つの支持部材だけで構成されることも可能であろう。支持部材２６は、好ましくは、その上部および底部で上下プラテン上にカラー２８により保持される。カラーは、上プラテン２０および下プラテン２２に一体的および単体で形成されてもよく、またはカラーが上プラテン２０および下プラテン２２に適切な接着剤、ねじもしくはリベット等の留め具、または他の適切な方法で個別に取り付けられてもよい。
【００１７】
支持部材２６は、限定されないが、例えば、円形の断面を有し、約２．３７５インチ（６ｃｍ）の標準外径および約２インチ（５．１ｃｍ）の内径を有するＰＶＣパイプからなることが好ましい。このタイプのＰＶＣパイプは、容易に入手可能であり、安価で、強く、耐久性があり、かつ好ましくは約６インチ（１５.２ｃｍ）から約３６インチ（９１．４ｃｍ）である所望のモジュールの高さに形成するために切断しやすい。図２に最も良く示されるように、側面パネル１９には、随意ではあるが、好ましくは、パネル１９を予め選択された高さに切断すべき箇所を示すいくつもの水平線３８および指示矢印４０が付されており、これらの線３８および矢印４０は、６インチ（１５．２ｃｍ）増分のモジュールの高さへの支持部材２６の切断に適合されている。
【００１８】
図３Ａに模式的に最も良く示されるように、モジュール１０は、領域３１として模式的に示される中空空間を有する透水性モジュールを構成するが、空間は、壁の間でどこにでも、かつ壁がない箇所では隣接するモジュールの中空空間内にまで延在する。支持部材２６により支持される上下プラテン２０および２２の構造は、縦および横方向の負荷に耐え、かつ例えば図３Ｂに分解図で模式的に示されるアセンブリ１１のように垂直方向に積み重ねられた場合に他のモジュールを支持するために十分な統合性および強度を有することが重要である。図３Ｂに示されるように垂直方向に積み重ねられた場合、上部のモジュールにおける垂直支持部材２６を下部のモジュールにおける垂直支持部材２６と整列させることが特に重要である。図３Ｃの部分拡大図は、上プラテン２０および下プラテン２２におけるアパチャまたはソケット３６を通って延びる連結シリンダ３５を用いることにより上下モジュール１０を整列させ連結するための好ましい構成を示す。
【００１９】
図３Ｃは、本発明による垂直方向に積み重ねられたモジュール１０からなるアセンブリ１１に使用されるプラテンの他の実施例を示し、図においては、図３Ｂに示される上プラテン２０および下プラテン２２が単一の中間プラテン４２で置き換えられ、これが共通のまたは組み合わされた上下プラテンとして機能し、中間プラテン４２は、垂直支持部材２６の整列を保持しかつ垂直方向に積み重ねられたモジュールを連結するために上下ソケット２８を含む。中間プラテン４２は、水平支持表面４４を有し、かつ好ましくは外部端縁フランジ４３および内部フランジ４５も備え、両者は下部モジュールで使用される任意のパネル１９の上部端縁および上部モジュールで使用される任意のパネル１９の下部端縁のための溝４７を作るために水平支持表面４４から上方および下方に延びる。
【００２０】
パネル１９の形状等のような格子部材２４のための支持構造が、透水性でかつ堆積物を制限するジオテキスタイル材料３０を支持することができることも重要であり、その材料は、いずれも明確化のために、図１Ｂでは下プラテン２２を部分的に覆い、図２ではパネル１９の前面１２を部分的に覆うように示される。適当な透水性ジオテキスタイル材料３０は、典型的には、例えば、当業者に周知でかつ容易に入手可能なポリエステルまたはポリプロピレンの糸からなる。ジオテキスタイル材料３０は、劣化することなく長期間堆積物および水との接触に耐える。ジオテキスタイル材料の透水性のために、モジュール１０またはアセンブリ１１の中空空間３１内の水が周囲の環境へ流れ出ることが可能になり、その環境は、典型的には、砂利、砂、または粘土のように高密度に圧縮された土壌よりも透水性の高い他の物質の層を含み、それはモジュール１０またはモジュールアセンブリ１１を取り囲む地層にある。ジオテキスタイル材料３０は、流出水、雨水または他の水が、モジュール１０またはモジュールアセンブリ１１から、およびモジュール１０またはモジュールアセンブリ１１の中空空間３１から、ゆっくりと流れ出ることを可能にする一方で、モジュール１０またはモジュールアセンブリ１１の中空空間３１内への堆積物の進入を防止する。ジオテキスタイル材料３０は、各モジュール１０の１つ以上の壁を覆うことができる。あるいは、１０、１０’、１０”等のモジュールが共に組み立てられ、図４に示されるようなモジュールアセンブリ１１の一実施例を構成する場合、ジオテキスタイル材料３０は、外壁のいくつかまたは全部を覆い、モジュール１０、１０’、１０”の相互連結された中空空間３１により形成された排水タンクまたは排水路を作ることができる。
【００２１】
水を留めておくための目的で、モジュール１０またはモジュールアセンブリ１１から保水タンクまたは貯水槽を形成することを望む場合には、図２に最も良く示されるように、種々の合成ポリマー・プラスチックシート等の随意の防水性のカバー３２が、下プラテン２２および図示のように前面１２、背面１４、および側面１６および１８の格子部材２４のパネル１９を全体的にまたは途中までのように、全部もしくは一部を覆うことができる。側面パネルの上部が、図示のようにジオテキスタイル材料３０で覆われることができる。防水性カバーが設けられる場合、水は貯留のためにモジュール内に保持され、その後ポンプでまたは流量を制限する方法で放出される。
【００２２】
図４を参照して、横方向に前後整列で配列された３つのモジュール１０、１０’および１０”から構成されるモジュールアセンブリ１１の限定されない実施例が示される。図４のモジュールアセンブリ１１では、種々のモジュールの内部前面および背面の壁が取り除かれ、モジュールアセンブリ１１内を水が流れるためのより制限のない流路または水路を形成されている。図４では、互いに隣接する側壁１６の端縁が点線３３で示される。必ずしも必要ではないが、モジュール１０、１０’および１０”は、図４に留め具３４を参照して模式的に示されるように、クリップ、ステープル、ワイヤタイ等によりまとめて保持されてもよい。このようにして、この実施例では、モジュール１０は、２つの格子パネル１９（図４の左）、つまり前方パネル１９および後方パネル（見えない）を有する前面１２と、側面１６（図４の後方）上に示される格子パネル１９を有する側面１６および１８と、上プラテン２０と、下プラテン２２とを有する。モジュール１０’は、上プラテンと、下プラテンと、パネル１９’（図４の後方、側面１６’上のパネル１９’のみ見える）の壁を備える側面とだけを有し、モジュール１０”は、上プラテンと、下プラテンと、パネル１９”（図４の後方、側面１６”上のパネル１９”のみ見える）を備える側壁と、２つのパネル１９”つまり前方パネル１９”および後方パネル１９”（見えない）を備える背面１４”とを有する。中間のモジュール１０’の上にもう１つのモジュールを積み重ねる場合、モジュール１０’の上プラテンを取り除き、かつモジュール１０’の上に積み重ねられるモジュールの底壁も取り除くことができ、あるいは、これらの上下プラテンを図３Ｃに示される中間プラテン４２のような中間プラテンにより置き換えることもできる。
【００２３】
同様に、モジュール１０’がモジュールアセンブリの内部で接続モジュールとしての役割を果たし、モジュール１０’のすべての４つの側面が開放される場合には、モジュール１０’が上プラテン２０および下プラテン２２のみを有することもできる。
【００２４】
図１Ａに最も良く示されるように、２つ以上のモジュールが横方向にモジュールアセンブリ１１に形成される場合、モジュール１０の少なくとも３つのタイプがあり得る。例えば、パネル１９を有する１つの側面１８ａを備える外側モジュール１０ａと、少なくとも１つで好ましくは２つのパネル１９を有する前面１２ｂ等の前面または背面を備える外側モジュール１０ｂと、１つの側面１８ｃおよび１つまたは好ましくは２つのパネル１９を有する前面または背面（図１Ａではいずれも見えない）を備えるコーナーモジュール１０ｃと、各々上プラテンおよび下プラテンのみを有するがその前面、背面または側面にパネルを有しない１つ以上の内部モジュール１０ｄとである。
【００２５】
もちろん、これに限定されないが、典型的には、１つの好ましい実施例において、モジュール１０の前面および背面１２および１４は、２つの同一の格子パネル１９の取り付けおよび格子パネル上へのジオテキスタイル織物３０の敷設により耐堆積物として定義され、各パネルは高さ約３６インチ（９１．４ｃｍ）および幅約１８インチ（４５．７ｃｍ）の寸法を有する。この好ましい実施例では、側面１６および１８の各々は、前面１２および背面１４に使用されたのと同じ寸法を有する格子パネル１９の１つのみを側面ごとに使用する。このようにして、例示のためであって限定されないが、典型的には、この実施例については、格子パネルの寸法は、高さが約３６インチ（９１．４ｃｍ）であり、幅が約１８インチ（４５．７ｃｍ）である。この好ましい実施例においては、上プラテン２０および下プラテン２２の各々が、プラテンにユニットとして成形された８つの垂直支持部材用ソケットを用いて形成され、これに限定されないが、この実施例の上下プラテンについての典型的であるが限定されない平面寸法は、長さ約３６インチ（９１．４ｃｍ）で幅約１８インチ（４５．７ｃｍ）である。上下プラテンおよび６つの格子パネルを用いて単一のモジュールタンクとして完全に組み立てられた場合、好ましいモジュールの寸法は、側面から側面が３６インチ（９１．４ｃｍ）、高さが３６インチ（９１．４ｃｍ）で前後が１８インチ（４５．７ｃｍ）である。
【００２６】
広い発明の概念から離れることなく、当業者により上記実施例に変更がなされ得ることを理解されたい。したがって、この発明は、開示された特定の実施例に限定されず、添付の請求の範囲により定義される本発明の精神および範囲内にある変形を包含することを意図するものであることが理解される。
【図面の簡単な説明】
【００２７】
【図１Ａ】排水タンクまたは排水路を構成する本発明によるモジュールからなるアセンブリの等角図であり、明確化のために、いくつかのモジュールが省かれ、地面の穴または溝内のアセンブリの配置を模式的に示す。
【図１Ｂ】本発明のモジュールの上面図であり、上プラテンと１つの隅部の格子部材の一部とが省かれ、下プラテンの支持構造、および下プラテン下の透水性ジオテキスタイル材料（明確化のために一部のみが示される）を示す。
【図２】図１Ｂのモジュールの正面図であり、前面壁をジオテキスタイル材料で覆い、かつ少なくとも部分的に側壁の周りおよび下プラテンの下に延在する不透水性カバーの随意の使用を示し（明確化のためにそれらの両者の一部のみが示され）、このモジュールは保水もしくは貯水タンクまたは貯水槽として機能し得る。
【図３Ａ】本発明によるモジュールの一部の模式的等角図であり、明確化のために、上プラテン、壁および他の詳細な部分のいくつかが省かれ、かつ透水性ジオテキスタイル材料または不透水性カバーでモジュールの壁が覆われていない。
【図３Ｂ】本発明による垂直方向に積み重ねられる２つのモジュールを用いて作製されるアセンブリの模式的分解等角図であり、明確化のために、モジュールのいくつかの部分が省かれ、また図３Ｂの円の領域の拡大等角図であり、垂直方向に積み重ねられるモジュールを整列および連結するために一例の連結シリンダの使用を示す。
【図３Ｃ】本発明による垂直方向に積み重ねられたモジュールからなるアセンブリの他の実施例の一部を示す模式的等角図であり、図３Ｃに示す上下プラテンの代わりに中間プラテンが設けられ、共通のまたは組み合わされた上下プラテンとして機能し、この中間プラテンは垂直支持部材を保持し垂直方向に積み重ねられたモジュールを連結するための上下ソケットを備える。
【図４】モジュラー排水アセンブリを形成するために前後に組み立てられた３つのモジュールの模式的側面図であり、明確化のために、ジオテキスタイルのカバーが省かれている。
【図１Ａ】
2007211585.tif 000003
【図１Ｂ】
2007211585.tif 000004
【図２】
2007211585.tif 000005
【図３Ａ】
2007211585.tif 000006
【図３Ｂ】
2007211585.tif 000007
【図３Ｃ】
2007211585.tif 000008
【図４】
2007211585.tif 000009
【外国語明細書】
2007211585.tif 000010
2007211585.tif 000011
2007211585.tif 000012
2007211585.tif 000013
2007211585.tif 000014
2007211585.tif 000015
2007211585.tif 000016
2007211585.tif 000017
2007211585.tif 000018
2007211585.tif 000019
2007211585.tif 000020
2007211585.tif 000021
2007211585.tif 000022
2007211585.tif 000023
2007211585.tif 000024
2007211585.tif 000025
2007211585.tif 000026
2007211585.tif 000027
2007211585.tif 000028
2007211585.tif 000029
2007211585.tif 000030
2007211585.tif 000031